(57)【要約】【課題】小型化することが容易な、光量調整用アクチュエーターユニット、光学ユニット、及び電子カメラを提供。【解決手段】本光量調整用のアクチュエーターユニット１５０は、アクチュエーターケース１６０の一側面に第一開口部１６１を設け、上下両側面に第二，第三開口部１６，１６３を設け、第一ステーターユニット１７０Ｓの内側ステータ部材１７３及び第二ステーターユニット１８０Ｓの内側ステータ部材１８３を、第一開口部１６１から前記ケース１６０内部に挿入し、前記ユニット１７０Ｓの外側ステータ部材１７４及び前記ユニット１８０Ｓの外側ステータ部材１８４を第二，第三の開口部１６２，１６３をそれぞれ覆うように装着し、上記ケース１６０に装着された第一，第二ステーターユニット１７０Ｓ，１８０Ｓに対し、第一，第二ロータユニット１７０Ｒ，１８０Ｒをそれぞれ挿入して第一，第二のアクチュエーター１７０，１８０を構成したことを主たる特徴としている。【選択図】    図１２
2004317552.tif 000002
【特許請求の範囲】
【請求項１】
アクチュエーターケースと、
このアクチュエーターケースに収容保持される第一のロータユニット及び第一のステーターユニットとからなる第一のアクチュエーターと、
前記アクチュエーターケースに前記第一のアクチュエーターに隣接して収容保持される第二のロータユニット及び第二のステーターユニットとからなる第二のアクチュエーターとを備え、
前記第一のステーターユニットは、磁極部が設けられた内側ステーター部材及び磁極部が設けられた外側ステーター部材を備え、
前記第二のステーターユニットは、磁極部が設けられた内側ステーター部材及び磁極部が設けられた外側ステーター部材を備え、
前記アクチュエーターケースは、一面に前記内側ステータ部材取付け用の第一の開口部を有し、且つ前記第一の開口部が設けられている面と直交する二つの面に、前記外側ステータ部材取付け用の第二，第三の開口部を有し、
前記第一のステーターユニットにおける内側ステータ部材及び前記第二のステーターユニットにおける内側ステータ部材は、前記第一の開口部から前記アクチュエーターケースの内部に挿入され、前記磁極部が前記第一のロータユニットにおけるロータの外周面の一部及び前記第二のロータユニットにおけるロータの外周面の一部をそれぞれ取り囲むように取付けられ、
前記第一のステーターユニットにおける外側ステータ部材及び前記第二のステーターユニットにおける外側ステータ部材は、前記第二、第三の開口部を覆うように装着され、前記磁極部が前記第一のロータユニットにおけるロータの残りの外周面の一部及び前記第二のロータユニットにおけるロータの残りの外周面の一部をそれぞれ取り囲むように取付けられたことを特徴とする光量調整用のアクチュエーターユニット。
【請求項２】
前記アクチュエーターケースの外部に露出している前記第一のステーターユニットにおける内側ステータ部材の後端部と外側ステータ部材の後端部、および前記第二のステーターユニットにおける内側ステータ部材の後端部と外側ステータ部材の後端部とは、いずれも各後端部どうしが電磁気的に結合されることを特徴とする請求項１に記載の光量調整用アクチュエーターユニット。
【請求項３】
前記アクチュエーターケースの内部に、前記内側ステータ部材を保持するための保持部が設けられていることを特徴とする請求項１又は２に記載の光量調整用アクチュエーターユニット。
【請求項４】
前記第一のステーターユニットにおける内側ステータ部材と前記第二のステーターユニットにおける内側ステータ部材とは、各部材の背面部どうしを近接させた態様で、前記アクチュエーターケースの内部に取付けられることを特徴とする請求項１又は２又は３に記載の光量調整用アクチュエーターユニット。
【請求項５】
前記アクチュエーターケースの第二の開口部に、前記外側ステータ部材を位置決めするための位置決め部が設けられ、
前記アクチュエーターケースの第三の開口部に、前記外側ステータ部材を位置決めするための位置決め部が設けられたことを特徴とする請求項１ないし４のいずれか一つに記載の光量調整用アクチュエーターユニット。
【請求項６】
前記位置決め部はピン形状をなし、前記外側ステータ部材に設けられた位置決め穴に対して係合され且つ熱かしめ加工が可能な如く設けられたことを特徴とする請求項５に記載の光量調整用アクチュエーターユニット。
【請求項７】
前記内側ステータ部材及び前記外側ステータ部材における磁極部の少なくとも一部が、積層コアで形成されていることを特徴とする請求項１ないし６のいずれか一つに記載の光量調整用アクチュエーターユニット。
【請求項８】
前記第一のステーターユニットにおける外側ステータ部材、前記第二のステーターユニットにおける外側ステータ部材、の少なくとも一方には、外部への取付け用ネジ穴が設けられていることを特徴とする請求項１ないし７のいずれか一つに記載の光量調整用アクチュエーターユニット。
【請求項９】
前記アクチュエーターケースの内部に、前記一対のロータユニットの各回転軸における一方端をそれぞれ支持する軸受け部が設けられていることを特徴とする請求項１ないし８のいずれか一つに記載の光量調整用アクチュエーターユニット。
【請求項１０】
前記第一及び第二のアクチュエーターは、光を通すための開口部を適時遮光する遮光機構および当該開口部を通過する光量を制限する光量制限機構を備えた光量調整機構において、前記遮光機構または光量制限機構のいずれかをそれぞれ駆動するものであることを特徴とする請求項１ないし９のいずれか一つに記載の光量調整用アクチュエーターユニット。
【請求項１１】
請求項１ないし１０のいずれか一つに記載の光量調整用アクチュエーターユニットを含む光量調整ユニットと、ガイド軸に沿って光軸方向へ移動可能に設けられたレンズ群及びこれらのレンズ群を光軸方向の所定位置へ移動させるように駆動するレンズ駆動用アクチュエーターを含むレンズユニットとを備えてなることを特徴とする光学ユニット。
【請求項１２】
前記レンズユニットは、光軸方向へ移動可能に設けられた複数のレンズ群を有し、これら複数のレンズ群が当該レンズ群が対応して設けられた複数のレンズ駆動用アクチュエーターによってそれぞれ駆動制御されることを特徴とする請求項１１に記載の光学ユニット。
【請求項１３】
前記光量調整ユニットにおける複数の光量調整用アクチュエーターからなる光量調整用アクチュエーターユニットと、
前記レンズユニットにおける複数のレンズ駆動用アクチュエーターからなるレンズ駆動用アクチュエーターユニットとを備え、
上記両アクチュエーターユニットは、前記レンズ群の光軸方向と略平行な一つの直線領域に沿って配置されていることを特徴とする請求項１２に記載の光学ユニット。
【請求項１４】
前記各レンズ駆動用アクチュエーターは、回転可能に支持された各一本のシャフトと、この一本のシャフトの片側に設けられた永久磁石から成るローターと、このローターの周囲に配された励磁コイルを含むステーターとを備えてなり、
前記レンズ駆動用アクチュエーターユニットは、各レンズ駆動用アクチュエーターのシャフトが平行に配設され、且つ、上記ローターおよびステーターを備えている側が、互いに反対側に位置するように配置されていることを特徴とする請求項１３に記載の光学ユニット。
【請求項１５】
前記光量調整用アクチュエーターユニットにおける複数の光量調整用アクチュエーターの各シャフトは、第一の平面内に配列され、
前記レンズ駆動用アクチュエーターユニットにおける複数のレンズ駆動用アクチュエーターの各シャフトは、前記第一の平面と平行な第二の平面内に配列されていることを特徴とする請求項１３又は１４に記載の光学ユニット。
【請求項１６】
第一の光軸に沿って被写体から入射する光束を、上記第一の光軸と交差する第二の光軸に沿って折り曲げるプリズムを更に備えたことを特徴とする請求項１１ないし１５のいずれか一つに記載の光学ユニット。
【請求項１７】
前記光量調整用アクチュエーターユニット及び前記レンズ駆動用アクチュエーターユニットにおける前記第一の光軸に沿った方向の寸法が、前記プリズムの第一の光軸方向における寸法と略同一寸法に設定されていることを特徴とする請求項１６に記載の光学ユニット。
【請求項１８】
前記光量調整用アクチュエーターユニット及び前記レンズ駆動用アクチュエーターユニットにおける前記第一の光軸に沿った方向の寸法は、互いに近似した寸法に設定されていることを特徴とする請求項１６に記載の光学ユニット。
【請求項１９】
請求項１ないし１０のいずれか一つに記載の光量調整用アクチュエーターユニットを搭載したことを特徴とする電子カメラ。
【請求項２０】
請求項１１ないし１８のいずれか一つに記載の光学ユニットを搭載したことを特徴とする電子カメラ。
【発明の詳細な説明】
【０００１】
【発明の属する技術分野】
本発明は、カメラ等の撮影装置に用いられる光量調整用アクチュエーター、この光量調整用アクチュエーターを備えた光学ユニット、及びこの光学ユニットを備えた電子カメラに関する。
【０００２】
【従来の技術】
カメラ等の撮影装置における絞り・シャッター駆動用のアクチュエーターとして、遮光部材を駆動するための第一アクチュエーターと光量制限部材を駆動するための第二アクチュエーターとをそれぞれ独立に設けたものがある（特許文献１参照）。
【０００３】
しかし、上記の如くそれぞれ独立に設けた二つのアクチュエーターをカメラ等の撮影装置に搭載すると、スペース効率が悪く、装置の大型化を招く。このような装置の大型化を回避したものとして、二つのアクチュエーターを一体化し、シャッターはね及び絞りはねをそれぞれ駆動するようにしたモータユニットが提案されている（特許文献２参照）。
【０００４】
【特許文献１】
特開２０００−３１０８０３号公報（段落［０００６］、図１）
【０００５】
【特許文献２】
特開平１１−２３４９８６号公報（段落［００３８］、図１３）
【０００６】
【発明が解決しようとする課題】
特許文献２に示されているモータユニットにおいては、二つのアクチュエーターを一体化したことから、上記文献２の図１などに示されているように、ユニット形状が横に長いものになる。このため、例えば光路の外周に円弧状に配置しなければならない等、部材の配置関係に制約が生じる。電子カメラなどの携帯機器においては、上記のような制約がなく、出来る限りコンパクトに形成できるアクチュエータユニットが要求される。
【０００７】
本発明は、このような事情に基づいてなされたものであり、その目的は、カメラの光量調整装置用として好適な光量調整用アクチュエーター、この光量調整用アクチュエーターを備えた光学ユニット、及びこの光学ユニットを備えた電子カメラを提供することにある。
【０００８】
【課題を解決するための手段】
前記課題を解決し目的を達成するために、本発明の光量調整用アクチュエーター、光学ユニット、及び電子カメラは下記のような特徴ある構成を有している。なお下記以外の特徴ある構成については実施形態の中で明らかにする。
【０００９】
（１）本発明の光量調整用アクチュエーターは、アクチュエーターケースと、このアクチュエーターケースに収容保持される第一のロータユニット及び第一のステーターユニットとからなる第一のアクチュエーターと、前記アクチュエーターケースに前記第一のアクチュエーターに隣接して収容保持される第二のロータユニット及び第二のステーターユニットとからなる第二のアクチュエーターとを備え、
前記第一のステーターユニットは、磁極部が設けられた内側ステーター部材及び磁極部が設けられた外側ステーター部材を備え、
前記第二のステーターユニットは、磁極部が設けられた内側ステーター部材及び磁極部が設けられた外側ステーター部材を備え、
前記アクチュエーターケースは、一面に前記内側ステータ部材取付け用の第一の開口部を有し、且つ前記第一の開口部が設けられている面と直交する二つの面に、前記外側ステータ部材取付け用の第二，第三の開口部を有し、
前記第一のステーターユニットにおける内側ステータ部材及び前記第二のステーターユニットにおける内側ステータ部材は、前記第一の開口部から前記アクチュエーターケースの内部に挿入され、前記磁極部が前記第一のロータユニットにおけるロータの外周面の一部及び前記第二のロータユニットにおけるロータの外周面の一部をそれぞれ取り囲むように取付けられ、
前記第一のステーターユニットにおける外側ステータ部材及び前記第二のステーターユニットにおける外側ステータ部材は、前記第二、第三の開口部を覆うように装着され、前記磁極部が前記第一のロータユニットにおけるロータの残りの外周面の一部及び前記第二のロータユニットにおけるロータの残りの外周面の一部をそれぞれ取り囲むように取付けられたことを特徴としている。
【００１０】
（２）本発明の光学ユニットは、前記（１）等に記載されている光量調整用アクチュエーターユニットを含む光量調整ユニットと、ガイド軸に沿って光軸方向へ移動可能に設けられたレンズ群及びこれらのレンズ群を光軸方向の所定位置へ移動させるように駆動するレンズ駆動用アクチュエーターを含むレンズユニットとを備えてなることを特徴としている。
【００１１】
（３）本発明の電子カメラは、前記（１）等に記載された光量調整用アクチュエーターユニットを搭載したことを特徴としている。
【００１２】
（４）本発明の電子カメラは、前記（１）等に記載された光学ユニットを搭載したことを特徴としている。
【００１３】
【発明の実施の形態】
（第一実施形態）
図１は本発明の第一実施形態に係るコンパクト型電子カメラの概略的構成を示す図で、（ａ）は略式上面断面図、（ｂ）は正面図、（ｃ）は略式側面断面図である。
【００１４】
図１において、１０はカメラ本体であり、その正面には被写体からの光を取り入れる入射開口部１１，ストロボ発光窓１２などが設けられている。またカメラ本体１０の上面にはレリーズボタン１３が設けられている。更に、図示はしてないがカメラ本体１０の背面には画像表示窓等が配設されている。カメラ本体１０の内部には、光学ユニット１４，ストロボユニット１５，電子回路基板１６，画像表示器（ＬＣＤ等）１７，電池室１８などが配設されている。
【００１５】
光学ユニット１４は、入射開口部１１から入射した被写体からの光をプリズム２１で入射光軸ＯＡとは直角な光軸ＯＢの方向へ反射し、レンズ群２２を通して得た光像を撮像素子２３の受光面上に照射することにより、被写体像を光電変換するものとなっている。本実施形態における光学ユニット１４は、図示の如くカメラ正面から見て縦長な状態に配置されている。
【００１６】
（第二実施形態）
図２は本発明の第二実施形態に係るコンパクト型電子カメラの概略的構成を示す図で、（ａ）は略式上面断面図、（ｂ）は正面図、（ｃ）は略式側面断面図である。この第二実施形態が前記第一実施形態と異なる主な点は、光学ユニット１４が図示の如くカメラ正面から見て横長な態様でカメラ本体内に収容配置されている点である。なおこれに伴い、カメラ本体１０に収容されている他の部品の形状及び配置関係も若干異なっている。しかし機能上は全く同等であるため、同一機能を有する部分には同一符号が付されている。
【００１７】
図３は、図１に示す第一実施形態に係る電子カメラ、及び図２に示す第二実施形態に係る電子カメラに、それぞれ適用された光学ユニット１４の具体的な構成を示す図で、（ａ）は正面図、（ｂ）は蓋の部分を取外した状態を示す正面図である。
【００１８】
図４の（ａ）は図３の（ａ）のａ−ａ線矢視断面図であり、図４の（ｂ）は図３の（ａ）のｂ−ｂ線矢視断面図である。
【００１９】
図３及び図４に示すように、光学ユニット１４は、光量調整ユニットＳＵとレンズユニットＬＵとがユニットケース３０に対し一体化されて収容されている。
【００２０】
光量調整ユニットＳＵは、前述したプリズム２１を有するプリズム光学系と光量調整機構１００とを含んでいる。光量調整機構１００は、遮光機構としてのシャッター機構１２０、減光機能等を有する光量制限機構１４０、上記シャッター機構１２０及び光量制限機構１４０を駆動制御するための光量調整用アクチュエーターユニット１５０、等を備えている。
【００２１】
遮光機構としてのシャッター機構１２０は、前記プリズム光学系の光出射面に対向して光路内に配置された遮光用ベース上の開口部を適宜開放状態となす。光量制限機構１４０は、上記開口部を通る光の量を減光フィルター等により制限する。光量調整用アクチュエーターユニット１５０は、第一のアクチュエーター１７０及び第二のアクチュエーター１８０を有している。
【００２２】
第一のアクチュエーター１７０は、シャッター機構１２０を駆動するためのアクチュエーターであり、回転可能に支持された駆動用シャフト１７２を有している。また第二のアクチュエーター１８０は、光量制限機構１４０を駆動するためのアクチュエーターであり、回転可能に支持された駆動用シャフト１８２を有している。
【００２３】
各駆動用シャフト１７２，１８２は平行で且つ同一方向を向くように隣接して配置され、且つ後述するように一体化されて一つのケース内に収容されている。上記光量調整ユニットＳＵのさらに詳細な構成については後述する。
【００２４】
レンズユニットＬＵは、レンズ群２２と、これらのレンズ群２２を駆動するためのレンズ駆動用アクチュエーターユニット４０とを備えている。レンズ群２２は一対のガイド軸２４，２５に沿って折り曲げ後の光軸（第二の光軸）ＯＢの方向へ移動可能に設けられている。レンズ駆動用アクチュエーターユニット４０は、レンズ群２２が上記光軸ＯＢの方向の所定位置へ移動するよう駆動する。レンズ駆動用アクチュエーターユニット４０は、バリエータレンズ駆動用アクチュエーターである第一のステッピングモーター５０と、フォーカシングレンズ駆動用アクチュエーターである第二のステッピングモーター６０とを有している。
【００２５】
第一のステッピングモーター５０は、前記レンズ群２２のうちバリエータレンズ群２２Ｖを駆動するためのものであり、第二のステッピングモーター６０は前記レンズ群２２のうちフォーカシングレンズ群２２Ｆを駆動するためのものである。
【００２６】
前記レンズ駆動用アクチュエーターとしての第一のステッピングモーター５０は、回転可能に支持された一本のシャフト５１と、この一本のシャフト５１の片側に設けられた永久磁石から成るローター５２と、このローター５２の近傍に配置され且つ同ローター５２の周囲に配された励磁コイルを含むステーター５３とを備えている。
【００２７】
前記レンズ駆動用アクチュエーターとしての第二のステッピングモーター６０は、回転可能に支持された一本のシャフト６１と、この一本のシャフト６１の片側に設けられた永久磁石から成るローター６２と、このローター６２の近傍に配置され且つ同ローター６２の周囲に配された励磁コイルを含むステーター５３とを備えている。
【００２８】
上記第一のステッピングモーター５０のシャフト５１と、第二のステッピングモーター６０のシャフト６１とは、平行に並んでいる。そして両モーター５０，６０のそれぞれのローターおよびステーターからなる駆動部が、互いに反対側に位置するように配置されている。
【００２９】
次に、本発明の光量調整ユニットＳＵの更に詳細な構成について、図５以下を参照して説明する。
【００３０】
図５は光量調整ユニットＳＵにおける光量調整機構１００の構成を示す分解斜視図である。この光量調整機構１００は、ベース１１０と、シャッター機構１２０と、光量制限機構１４０と、シャッター機構１２０および光量制限機構１４０を駆動するための光量調整用アクチュエーターユニット１５０と、カバー１９０とを有している。
【００３１】
ベース１１０は、光を通すためのほぼ矩形の開口部１１２と、開口部１１２の一辺に沿って延びるガイド溝１１４とを有している。カバー１９０は、ベース１１０と同様に、光を通すためのほぼ矩形の開口部１９２と、開口部１９２の一辺に沿って延びるガイド溝１９４とを有している。ベース１１０とカバー１９０は、それぞれの開口部１１２と開口部１９２とが同一軸に沿って配されるように位置決めされ、互いに固定されている。
【００３２】
光量調整用アクチュエーターユニット１５０は、シャッター機構１２０を駆動するための第一のアクチュエーター１７０と、光量制限機構１４０を駆動するための第二のアクチュエーター１８０とを有している。光量調整用アクチュエーターユニット１５０は、開口部１１２の側方に位置し、ベース１１０に固定されている。
【００３３】
第一のアクチュエーター１７０は所定の角度範囲内で回転する駆動用シャフト１７２を有している。このような第一のアクチュエーター１７０は例えばロータリーソレノイドで構成され得る。同様に、第二のアクチュエーター１８０は所定の角度範囲内で回転する駆動用シャフト１８２を有している。このような第二のアクチュエーター１８０は例えばロータリーソレノイドで構成され得る。
【００３４】
第一のアクチュエーター１７０と第二のアクチュエーター１８０は互いに隣接して配置されている。例えば、第一のアクチュエーター１７０と第二のアクチュエーター１８０は上下に重ねられ、開口部１１２の側方に配置されている。
【００３５】
シャッター機構１２０は、光を遮るための遮光部材１２２と、この遮光部材１２２に連結されたほぼ直線形状のレバー１２４とを有している。レバー１２４の一方の端部は、軸１２６を介して遮光部材１２２と連結されており、レバー１２４の反対側の端部は、第一のアクチュエーター１７０の駆動用シャフト１７２に固定されている。
【００３６】
シャッター機構１２０は、更に遮光部材１２２に固定されたガイドピン１２８を有している。ガイドピン１２８は、カバー１９０のガイド溝１９４に挿入される。ガイドピン１２８とガイド溝１９４の係合は、遮光部材１２２の移動方向を規制する（すなわち遮光部材１２２を案内する）。
【００３７】
第一のアクチュエーター１７０のシャフト１７２の所定角度範囲内の回転はレバー１２４を旋回させる。レバー１２４の旋回は、レバー１２４と遮光部材１２２の連結と、ガイドピン１２８とガイド溝１９４の係合とによって、遮光部材１２２の直線移動に変換される。結局、遮光部材１２２は、第一のアクチュエーター１７０のシャフト１７２の回転すなわちレバー１２４の旋回に応じて、ガイド溝１９４に沿って移動する。
【００３８】
光量制限機構１４０は、光を減光するための光量制限部材１４２と、この光量制限部材１４２に連結されたほぼコの字形状あるいはＵ字形状のレバー１４４を有している。光量制限部材１４２は例えば減光フィルターであり、適当な透過率を有する光学的に透明な部材で構成されている。レバー１４４の一方の端部は、軸１４６を介して光量制限部材１４２と連結されており、レバー１４４の反対側の端部は、第二のアクチュエーター１８０のシャフト１８２に固定されている。
【００３９】
光量制限機構１４０は、更に光量制限部材１４２に固定されたガイドピン１４８を有している。ガイドピン１４８はベース１１０のガイド溝１１４に挿入される。ガイドピン１４８とガイド溝１１４の係合は、光量制限部材１４２の移動方向を規制する（すなわち光量制限部材１４２を案内する）。
【００４０】
第二のアクチュエーター１８０の駆動用シャフト１８２の所定角度範囲内の回転はレバー１４４を旋回させる。レバー１４４の旋回は、レバー１４４と光量制限部材１４２の連結と、ガイドピン１４８とガイド溝１１４の係合とによって、光量制限部材１４２の直線移動に変換される。結局、光量制限部材１４２は、第二のアクチュエーター１８０のシャフト１８２の回転すなわちレバー１４４の旋回に応じて、ガイド溝１１４に沿って移動する。
【００４１】
図６から分かるように、シャッター機構１２０と光量制限機構１４０は、互いの動作を干渉しないように、すなわち一方の動作が他方の動作に影響を与えないように、前後に（すなわちアクチュエーターのシャフトに沿って）ずらして配置されている。
【００４２】
次に本実施形態の光量調整機構１００の動作について図７〜図１０を参照して説明する。
【００４３】
図７の（ａ）（ｂ）〜図１０の（ａ）（ｂ）は、シャッター機構１２０と光量制限機構１４０の開閉状態の組み合わせを示している。これらの図において、上段に示す（ａ）は特にシャッター機構１２０の遮光部材１２２と開口部１１２の位置関係を示しており、このために光量制限機構１４０の図示は省かれている。同様に、下段に示す（ｂ）は特に光量制限機構１４０の光量制限部材１４２と開口部１１２との位置関係を示している。このためシャッター機構１２０の図示は省かれている。
【００４４】
通常の撮影においては、図７の（ｂ）に示されるように、光量制限機構１４０は開いた状態に設定される。すなわち、光量制限部材１４２は開口部１１２（および開口部１９２）から退避される。
【００４５】
撮影に備える時点では、シャッター機構１２０は図７の（ａ）に示されるように開いた状態にある。すなわち、遮光部材１２２は開口部１１２（および開口部１９２）から退避している。撮影の直後には、図８の（ａ）に示されるように、シャッター機構１２０は閉じた状態に切り換えられる。すなわち、遮光部材１２２は開口部１１２（および開口部１９２）を遮ぎる。所定時間後、シャッター機構１２０は再び図７の（ａ）のように開いた状態に戻される。すなわち、遮光部材１２２は開口部１１２（および開口部１９２）から退避した位置に戻される。
【００４６】
このように、通常の撮影は、光量制限機構１４０とシャッター機構１２０とが、図７の（ａ）（ｂ）の状態から図８の（ａ）（ｂ）の状態に切り換えられ、続いて図７の（ａ）（ｂ）の状態に戻されることで行なわれる。
【００４７】
また、光量を絞る必要がある場合には、光量制限機構１４０は、図９の（ｂ）に示されるように、閉じた状態に切り換えられる。言い換えれば、減光した撮影では、光量制限機構１４０は閉じた状態に設定される。すなわち、光量制限部材１４２は開口部１１２（および開口部１９２）を遮る位置に移される。
【００４８】
撮影に備える時点では、図９の（ａ）に示されるように、シャッター機構１２０は開いた状態にある。すなわち、遮光部材１２２は開口部１１２（および開口部１９２）から退避している。撮影の直後には、図１０の（ａ）に示されるように、シャッター機構１２０は閉じた状態に切り換えられる。すなわち、遮光部材１２２は開口部１１２（および開口部１９２）を遮ぎる。所定時間後、シャッター機構１２０は再び図９の（ａ）の開いた状態に戻される。すなわち、遮光部材１２２は開口部１１２（および開口部１９２）から退避した位置に戻される。
【００４９】
つまり、減光した撮影は、光量制限機構１４０とシャッター機構１２０とが、図９の（ａ）（ｂ）の状態から図１０の（ａ）（ｂ）の状態に切り換えられ、続いて図９の（ａ）（ｂ）の状態に戻されることで行なわれる。
【００５０】
これまでの説明で分かるように、本実施形態の光量調整機構１００は、シャッター機構１２０が遮光部材１２２を横方向にスライド移動させるように構成されており、また同様に光量制限機構１４０が光量制限部材１４２を横方向にスライド移動させるように構成されている。このため、縦方向の寸法が小さく抑えられている。
【００５１】
また、本実施形態の光量調整機構１００は、二つのアクチュエーター１７０と１８０が隣接して（例えば互いに重なって）開口部の側方に配置されている。言い換えれば二つのアクチュエーター１７０と１８０は、共に開口部１１２に対して横方向に関して同じ側に位置している。このため横方向の寸法が小さく抑えられている。
【００５２】
次に、本発明の光量調整用アクチュエーターユニット１５０の更に詳細な構成について、図１１以下を参照して説明する。
【００５３】
図１１の（ａ）（ｂ）は、光量調整用アクチュエーターユニット１５０の構成を示す図で、（ａ）は縦断面図、（ｂ）は外観を示す斜視図である。図１２は光量調整用アクチュエーターユニット１５０の構成を示す分解斜視図である。図１３の（ａ）（ｂ）（ｃ）はアクチュエーターケース１６０の構成を示す図で、（ａ）は左端面図、（ｂ）は（ａ）のｂ−ｂ線矢視断面図、（ｃ）は右端面図である。図１４の（ａ）は前記光量調整用アクチュエーターユニットにおける磁コイルユニットの断面図、図１４の（ｂ）は前記光量調整用アクチュエーターユニットにおける軸受部材の断面図である。
【００５４】
図１１の（ａ）（ｂ）に示すように、光量調整用アクチュエーターユニット１５０は、角筒状をなすアクチュエーターケース１６０に、第一のロータユニット１７０Ｒ及び第一のステーターユニット１７０Ｓとからなる第一のアクチュエーター１７０と、第二のロータユニット１８０Ｒ及び第二のステーターユニット１８０Ｓとからなる第二のアクチュエーター１８０とを、隣接して収容保持したものとなっている。
【００５５】
図１２及び図１３の（ａ）〜（ｃ）に示すように、前記アクチュエーターケース１６０は、前記第一及び第二のロータユニット１７０Ｒ，１８０Ｒにおける各回転軸１７２，１８２が貫通する面とは反対側の面（図１２の左側面）に、内側ステータ部材取付け用の第一の開口部１６１を有している。また上記アクチュエーターケース１６０は、前記第一の開口部１６１が設けられている面と直交する二つの面（図１２の上下両側面）に、外側ステータ部材取付け用の第二，第三の開口部１６２，１６３を有している。更に上記アクチュエーターケース１６０は、前記各回転軸１７２，１８２が貫通する面（図１２の右側面）に、軸受部材取り付け孔１６４，１６５を有している。
【００５６】
上記アクチュエーターケース１６０の内部（ローター回転軸と平行な両側壁内面）には、後述する内側ステータ部材１７３，１８３の両側を案内・保持する為の保持部であるガイド部（本例では溝。なお突条でも良い）１６６ａ，１６６ｂが設けられている。また前記アクチュエーターケース１６０の内部（第一の開口部１６１が設けられている一側壁内面）に、後述する一対のロータ回転軸１７２及び１８２の各一方端１７２ａ及び１８２ａをそれぞれ支持する軸受け部１６７，１６８が設けられている。
【００５７】
前記アクチュエーターケース１６０の第二の開口部１６２の端面には、後述する外側ステータ部材１７４を位置決めするための位置決め部１６９ａ，１６９ｂが設けられている。また前記アクチュエーターケース１６０の第三の開口部１６３の端面には、前記外側ステータ部材１８４を位置決めするための位置決め部１６９ｃ，１６９ｄが設けられている。上記位置決め部１６９ａ，１６９ｂ，１６９ｃ，１６９ｄは、いずれもピン形状をなしている。
【００５８】
第一のアクチュエーター１７０における第一のロータユニット１７０Ｒは、永久磁石からなるローター１７１と、このローター１７１の回転軸１７２とからなっている。上記回転軸１７２の一方端１７２ａは前記アクチュエーターケース１６０の内部に設けられた軸受け部１６７により回転自在に支持される。またローター回転軸１７２の他方端１７２ｂは、前記アクチュエーターケース１６０の側壁に設けられた軸受部材取り付け孔１６４に嵌め込まれる図１４の（ｂ）に示す如く形成された軸受け部材１７６により回転自在に支持される。
【００５９】
第二のアクチュエーター１８０における第二のロータユニット１８０Ｒは、永久磁石からなるローター１８１と、このローター１８１の回転軸１８２とからなっている。上記回転軸１８２の一方端１８２ａは前記アクチュエーターケース１６０の内部に設けられた軸受け部１６８により回転自在に支持される。またローター回転軸１８２の他方端１８２ｂは前記アクチュエーターケース１６０の側壁に設けられた軸受部材取り付け孔１６５に嵌め込まれる図１４の（ｂ）に示す如く形成された軸受け部材１８６により回転自在に支持される。
【００６０】
第一のアクチュエーター１７０における第一のステーターユニット１７０Ｓは、一端に磁極部１７３ｅが取付けられた内側ステーター部材１７３と、一端に磁極部１７４ｅが取付けられた外側ステーター部材１７４と、励磁コイルユニット１７５とを備えている。
【００６１】
第二のアクチュエーター１８０における第二のステーターユニット１７０Ｓは、一端に磁極部１８３ｅが取付けられた内側ステーター部材１８３と、一端に磁極部１８４ｅが取付けられた外側ステーター部材１８４と、励磁コイルユニット１８５とを備えている。
【００６２】
図１５は第一のステーターユニット１７０Ｓにおける内側ステーター部材１７３及び外側ステーター部材１７４の構成を示す分解斜視図である。なお第二のステーターユニット１８０Ｓにおける内側ステーター部材１８３及び外側ステーター部材１８４の構成も、上記第一のステーターユニット１７０Ｓのものと全く同一なので、図示及び説明は省略する。
【００６３】
図１５に示すように、内側ステーター部材１７３は、ベースプレートＢＰの一端（図中右端）に、磁極部１７３ｅを設けたものとなっている。ベースプレートＢＰは磁性部材を略Ｌ字形に屈曲形成したものである。このベースプレートＢＰの前端部（図中右端）には、磁極部１７３ｅの一部としての一層目Ｌ１の積層コアＣ１が形成されている。この積層コアＣ１と同形に形成された二層目Ｌ２〜五層目Ｌ５の積層コアＣ２〜Ｃ５が一体的に積層され、かつ上記一層目Ｌ１の積層コアＣ１に対して結合されている。各積層コアは、例えば珪素鋼板で形成され、直線状に延びるバー部片Ｈの一側面に磁極Ｆを有している。磁極Ｆは、その中央部がローター外周面を囲む半円弧状の切欠部となっている。バー部片Ｈの両端にはアクチュエーターケース１６０の開口部への取付代となる突起部Ｅが形成されている。またバー部片Ｈの表裏両面には、積層用係合部としての一対の凹凸部Ｖが対応して形成されている。
【００６４】
外側ステータ部材１７４は、基本的な構成において内側ステーター部材１７３と同一である。ただし内側ステーター部材１７３と外側ステータ部材１７４とを図示の如く対向して組み付け得るように、内側ステーター部材１７３のベースプレートＢＰの後端部１７３ｆに対し、外側ステータ部材１７４のベースプレートＢＰの後端部１７４ｆが、プレートＢＰの厚み相当分の距離Ｇだけ外側にずらして形成されている。
【００６５】
内側ステーター部材１７３のベースプレートＢＰ及び外側ステータ部材１７４の各ベースプレートＢＰには、前記光学ユニット１４のユニットケース３０への取付を行なえるように、取付け用ネジ穴１７３ｃ，１７３ｄ及び１７４ｃ，１７４ｄ、がそれぞれ設けられている。
【００６６】
前記第一のステーターユニット１７０Ｓにおける内側ステータ部材１７３及び前記第二のステーターユニット１８０Ｓにおける内側ステータ部材１８３の少なくとも各磁極部１７３ｅ、１８３を含む部分は、前記第一の開口部１６１から前記アクチュエーターケース１６０の内部に挿入される。このとき内側ステータ部材１７３と内側ステータ部材１８３とは、各部材の背面部どうしを近接させた態様で挿入される。また各部材１７３，１８３は、その両側をアクチュエーターケース１６０の内部に設けたガイド部１６６ａ，１６６ｂによって案内され、スムーズに挿入される。
【００６７】
前記アクチュエーターケース１６０の内部に挿入された前記磁極部１７３ｅは前記ロータ１７１の外周面の一部を取り囲むように配置される。同様にアクチュエーターケース１６０の内部に挿入された前記磁極部１８３ｅは前記ロータ１８１の外周面の一部を取り囲むように配置される。
【００６８】
上記のようにアクチュエーターケース１６０に取付けられた内側ステータ部材１７３におけるアクチュエーターケース１６０の外部に露出している後端部１７３ｆには、励磁コイルユニット１７５が嵌め込まれる。同様にアクチュエーターケース１６０に取付けられた内側ステータ部材１８３のアクチュエーターケース１６０の外部に露出している後端部１８３ｆには、励磁コイルユニット１８５が嵌め込まれる。
【００６９】
励磁コイルユニット１７５，１８５は、図１４の（ａ）に示すように、ボビン１７５ａ（１８５ａ）に、コイル１７５ｂ（１８５ｂ）を巻装したものである。
【００７０】
前記第一のステーターユニット１７０Ｓにおける外側ステータ部材１７４は、前記第二の開口部１６２を覆うように装着される。このとき外側ステータ部材１７４の後端部１７４ｆは、励磁コイルユニット１７５の中空部内に、前記内側ステータ部材１７３の後端部１７３ｆと重なり合うように挿入される。また外側ステータ部材１７４に設けられた位置決め穴１７４ａ、１７４ｂがアクチュエーターケース１６０の位置決め部１６９ａ，１６９ｂと係合する。ここで必要に応じてピン形状をなす位置決め部１６９ａ，１６９ｂの頭部は、熱かしめ加工され固定化される。
【００７１】
同様に、前記第第二のステーターユニット１８０Ｓにおける外側ステータ部材１８４は、前記第三の開口部１６３を覆うように装着される。このとき外側ステータ部材１８４の後端部１８４ｆは、励磁コイルユニット１８５の中空部内に、前記内側ステータ部材１８３の後端部１８３ｆと重なり合うように挿入される。
【００７２】
また外側ステータ部材１８４に設けられた位置決め穴１８４ａ、１８４ｂがアクチュエーターケース１６０の位置決め部１６９ｃ，１６９ｄと係合する。ここで必要に応じてピン形状をなす位置決め部１６９ｃ，１６９ｄの頭部は、熱かしめ加工され固定化される。
【００７３】
励磁コイルユニット１７５の中空部内に重なり合うように挿入された内側ステータ部材１７３の後端部１７３ｆと外側ステータ部材１７４の後端部１７４ｆとは、互いに電磁気的に結合される。同様に励磁コイルユニット１８５の中空部内に重なり合うように挿入された内側ステータ部材１８３の後端部１８３ｆと外側ステータ部材１８４の後端部１８４ｆとは、互いに電磁気的に結合される。
【００７４】
（実施形態における特徴点）
［１］実施形態に示された光量調整用のアクチュエーターユニット１５０は、
アクチュエーターケース１６０と、
このアクチュエーターケース１６０に収容保持される第一のロータユニット１７０Ｒ及び第一のステーターユニット１７０Ｓとからなる第一のアクチュエーター１７０と、
上記アクチュエーターケース１６０に上記第一のアクチュエーター１７０に隣接して収容保持される第二のロータユニット１８０Ｒ及び第二のステーターユニット１８０Ｓとからなる第二のアクチュエーター１８０とを備え、
前記第一のステーターユニット１７０Ｓは、磁極部１７３ｅが設けられた内側ステーター部材１７３及び磁極部１７４ｅが設けられた外側ステーター部材１７４を備え、
前記第二のステーターユニット１８０Ｓは、磁極部１８３ｅが設けられた内側ステーター部材１８３及び磁極部１８４ｅが設けられた外側ステーター部材１８４を備え、
前記アクチュエーターケース１６０は、一面（実施形態では第一及び第二のロータユニット１７０Ｒ，１８０Ｒにおける各回転軸１７２，１８２が貫通する面とは反対側の面）に、前記内側ステータ部材取付け用の第一の開口部１６１を有し、且つ前記第一の開口部１６１が設けられている面と直交する二つの面に、外側ステータ部材取付け用の第二，第三の開口部１６２，１６３を有し、
前記第一のステーターユニット１７０Ｓにおける内側ステータ部材１７３及び前記第二のステーターユニット１８０Ｓにおける内側ステータ部材１８３は、前記第一の開口部１６１から前記アクチュエーターケース１６０の内部に挿入され、前記磁極部１７３ｅ及び１８３ｅが前記第一のロータユニット１７０Ｒにおけるロータ１７１の外周面の一部及び前記第二のロータユニット１８０Ｒにおけるロータ１８１の外周面の一部をそれぞれ取り囲むように取付けられ、
前記第一のステーターユニット１７０Ｓにおける外側ステータ部材１７４及び前記第二のステーターユニット１８０Ｓにおける外側ステータ部材１８４は、前記第二、第三の開口部１６２，１６３を覆うように装着され、前記磁極部１７３ｅ及び１８３ｅが前記第一のロータユニット１７０Ｒにおけるロータ１７１の残りの外周面の一部及び前記第二のロータユニット１８０Ｒにおけるロータ１８１の残りの外周面の一部をそれぞれ取り囲むように取付けられたことを特徴としている。
【００７５】
上記光量調整用アクチュエーターユニット１５０においては、第一のアクチュエーター１７０と第二のアクチュエーター１８０とが互いに近接した状態で、アクチュエーターケース１６０の内部に極めてコンパクトに配置される。このためスペースファクターが非常によく、アクチュエーター１７０，１８０が占める占有空間を最小限に留め得る。
【００７６】
［２］実施形態に示された光量調整用アクチュエーターユニット１５０は、前記［１］に記載の光量調整用アクチュエーターユニットであって、
前記アクチュエーターケース１６０の外部に露出している前記第一のステーターユニット１７０Ｓにおける内側ステータ部材１７３の後端部１７３ｆと外側ステータ部材１７４の後端部１７４ｆ、および前記第二のステーターユニット１８０Ｓにおける内側ステータ部材１８３の後端部１８３ｆと外側ステータ部材１８４の後端部１８４ｆとは、いずれも各後端部どうしが電磁気的に結合されることを特徴としている。
【００７７】
上記光量調整用アクチュエーターユニット１５０においては、アクチュエーターケース１６０の外部に露出している後端部どうしが電磁気的に結合されるため、製造および組み付け作業が容易となる。
【００７８】
［３］実施形態に示された光量調整用アクチュエーターユニット１５０は、前記［１］又は［２］に記載の光量調整用アクチュエーターユニットであって、
前記アクチュエーターケース１６０の内部に、前記内側ステータ部材１７３，１８３を保持するためのガイド部１６６ａ，１６６ｂが設けられていることを特徴としている。
【００７９】
［４］実施形態に示された光量調整用アクチュエーターユニット１５０は、前記［１］又は［２］又は［３］に記載の光量調整用アクチュエーターユニットであって、前記第一のステーターユニット１７０Ｓにおける内側ステータ部材１７３と前記第二のステーターユニット１８０Ｓにおける内側ステータ部材１８３とは、各部材の背面部どうしを近接させた態様で、前記アクチュエーターケース１６０の内部に取付けられることを特徴としている。
【００８０】
上記光量調整用アクチュエーターユニット１５０においては、内側ステータ部材１７３と内側ステータ部材１８３とが、所謂背中合わせに組み付けられる。このためデッドスペースの発生が効率よく抑制され、スペースファクターが向上する。
【００８１】
［５］実施形態に示された光量調整用アクチュエーターユニット１５０は、前記［１］ないし［４］のいずれか一つに記載のに記載の光量調整用アクチュエーターユニットであって、
前記アクチュエーターケース１６０の第二の開口部１６２に、前記外側ステータ部材１７４を位置決めするための位置決め部１６９ａ，１６９ｂが設けられ、
前記アクチュエーターケース１６０の第三の開口部１６３に、前記外側ステータ部材１８４を位置決めするための位置決め部１６９ｃ，１６９ｄが設けられたことを特徴としている。
【００８２】
［６］実施形態に示された光量調整用アクチュエーターユニット１５０は、前記［５］に記載の光量調整用アクチュエーターユニットであって、
前記位置決め部１６９ａ，１６９ｂおよび１６９ｃ，１６９ｄはピン形状をなし、前記外側ステータ部材１７４，１８４に設けられた位置決め穴１７４ａ，１７４ｂおよび１８４ａ，１８４ｂに対して係合され且つ熱かしめ加工が可能な如く設けられたことを特徴としている。
【００８３】
［７］実施形態に示された光量調整用アクチュエーターユニット１５０は、前記［１］ないし［６］のいずれか一つに記載の光量調整用アクチュエーターユニットであって、
前記内側ステータ部材１７３，１８３及び前記外側ステータ部材１７４，１８４における磁極部１７３ｅ，１７４ｅ，１８３ｅ，１８４ｅの少なくとも一部が、積層コアで形成されていることを特徴としている。
【００８４】
上記光量調整用アクチュエーターユニット１５０においては、磁極部１７３ｅ，１７４ｅ，１８３ｅ，１８４ｅの少なくとも一部が積層コアで形成されていることから、渦電流の発生が抑制され、電動機構としてのエネルギー効率が飛躍的に向上する。
【００８５】
［８］実施形態に示された光量調整用アクチュエーターユニット１５０は、前記［１］ないし［７］のいずれか一つに記載の光量調整用アクチュエーターユニットであって、
前記第一のステーターユニット１７０Ｓにおける外側ステータ部材１７４，前記第二のステーターユニット１８０Ｓにおける外側ステータ部材１８４の少なくとも一方には、外部（３０）への取付け用ネジ穴１７４ｃ，１７４ｄ、１８４ｃ，１８４ｄが設けられていることを特徴としている。
【００８６】
［９］実施形態に示された光量調整用アクチュエーターユニット１５０は、前記［１］ないし［８］のいずれか一つに記載の光量調整用アクチュエーターユニットであって、
前記アクチュエーターケース１６０の内部に、前記一対のロータユニット１７０Ｒ及び１８０Ｒの各回転軸１７２及び１８２における一方端をそれぞれ支持する軸受け部１６７，１６８が設けられていることを特徴としている。
【００８７】
［１０］実施形態に示された光量調整用アクチュエーターユニット１５０は、前記［１］ないし［９］のいずれか一つに記載の光量調整用アクチュエーターユニットであって、
前記第一及び第二のアクチュエーター１７０，１８０は、光を通すための開口部１１２を適時遮光する遮光機構１２０および当該開口部を通過する光量を制限する光量制限機構１４０を備えた光量調整機構１００において、前記遮光機構１２０または光量制限機構１４０のいずれかをそれぞれ駆動するものであることを特徴としている。
【００８８】
［１１］実施形態に示された光学ユニット１４は、前記［１］ないし［１０］のいずれか一つに記載の光量調整用アクチュエーターユニット１５０を含む光量調整ユニットＳＵと、ガイド軸２４，２５に沿って光軸方向へ移動可能に設けられたレンズ群２２及びこれらのレンズ群２２を光軸方向の所定位置へ移動させるように駆動するレンズ駆動用アクチュエーター４０を含むレンズユニットＬＵとを備えてなることを特徴としている。
【００８９】
［１２］実施形態に示された光学ユニット１４は、前記［１１］に記載の光学ユニットであって、
前記レンズユニットＬＵは、光軸ＯＢ方向へ移動可能に設けられた複数（二つ）のレンズ群２２Ｖ，２２Ｆを有し、これら複数（二つ）のレンズ群２２Ｖ，２２Ｆが当該レンズ群に対応して設けられた複数（二つ）のレンズ駆動用アクチュエーター５０，６０によってそれぞれ駆動制御されることを特徴としている。
【００９０】
［１３］実施形態に示された光学ユニット１４は、前記［１２］に記載の光学ユニットであって、
前記光量調整ユニットＳＵにおける複数（二つ）の光量調整用アクチュエーター１７０，１８０からなる光量調整用アクチュエーターユニット１５０と、
前記レンズユニットＬＵにおける複数（二つ）のレンズ駆動用アクチュエーター５０，６０からなるレンズ駆動用アクチュエーターユニット４０とを備え、
上記両アクチュエーターユニット１５０，４０は、前記レンズ群２２の光軸方向と略平行な一つの直線領域に沿って配置されていることを特徴としている。
【００９１】
上記光学ユニッ１４においては、両アクチュエーターユニット１５０，４０が撮影光学系に対して同じ側に一括して配置されるため、無駄な占有空間が発生しない。
【００９２】
［１４］実施形態に示された光学ユニット１４は、前記［１３］に記載の光学ユニットであって、
前記各レンズ駆動用アクチュエーター５０，６０は、回転可能に支持された各一本のシャフト５１，６１と、この一本のシャフト５１，６１の片側に設けられた永久磁石から成るローター５２，６２と、このローター５２，６２の周囲に配された励磁コイルを含むステーター５３，６３とを備えてなり、
前記レンズ駆動用アクチュエーターユニット４０は、各レンズ駆動用アクチュエーター５０，６０のシャフト５１，６１が平行に配設され、且つ、上記ローターおよびステーターを備えている側が、互いに反対側に位置するように配置されていることを特徴としている。
【００９３】
上記光学ユニッ１４においては、比較的径長大な形態をなすレンズ駆動用アクチュエーター５０，６０の各シャフトが共通な領域に一括配置されると共に、外径が比較的大きな形態をなすローター及びテーターが互い違いに組み合わされた態様で配置されるため、占有する設置空間が小さくてよい。
【００９４】
［１５］実施形態に示された光学ユニット１４は、前記［１３］又は［１４］に記載の光学ユニットであって、
前記光量調整用アクチュエーターユニット１５０における複数の光量調整用アクチュエーター１７０，１８０の各シャフト１７２，１８２は、第一の平面内に配列され、
前記レンズ駆動用アクチュエーターユニット４０における複数のレンズ駆動用アクチュエーター５０，６０の各シャフト５１，６１は、前記第一の平面と平行な第二の平面内に配列されていることを特徴としている。
【００９５】
上記光学ユニッ１４においては、両アクチュエーターユニット１５０，４０におけるシャフト同士が平行に配置されるので、無駄な空間が生じにくく、コンパクト化し得る。
【００９６】
［１６］実施形態に示された光学ユニット１４は、前記［１１］ないし［１５］のいずれか一つに記載の光学ユニットであって、
第一の光軸ＯＡに沿って被写体から入射する光束を、上記第一の光軸ＯＡと交差する第二の光軸ＯＢに沿って折り曲げるプリズム２１を更に備えたことを特徴としている。
【００９７】
上記光学ユニッ１４においては、光軸が途中で折り曲げられるため、当該光学ユニッ自体ひいてはカメラ本体１０の奥行き寸法すなわち厚み寸法を小さくすることができる。
【００９８】
［１７］実施形態に示された光学ユニット１４は、前記［１６］に記載の光学ユニットであって、
前記光量調整用アクチュエーターユニット１５０及び前記レンズ駆動用アクチュエーターユニット４０における前記第一の光軸ＯＡに沿った方向の寸法ＬＡ２，ＬＡ３が、前記プリズム２１の第一の光軸ＯＡの方向における寸法ＬＡ１と略同一寸法に設定されていることを特徴としている。
【００９９】
上記光学ユニッ１４においては、プリズム２１の厚み寸法と、両アクチュエーターユニット１５０，４０の部分の厚み寸法とが略同一になる。このため、光学ユニッ１４全体の厚みが均一化されることになる。
【０１００】
［１８］実施形態に示された光学ユニッ１４は、前記［１６］に記載の光学ユニットであって、
前記光量調整用アクチュエーターユニット１５０及び前記レンズ駆動用アクチュエーターユニット４０における前記第一の光軸ＯＡに沿った方向の寸法ＬＡ２，ＬＡ３は、互いに近似した寸法に設定されていることを特徴としている。
【０１０１】
上記光学ユニッ１４においては、少なくとも両アクチュエーターユニット１５０，４０同士の厚み寸法を一定化できる。
【０１０２】
［１９］実施形態に示された電子カメラは、前記［１］ないし［１０］のいずれか一つに記載の光量調整用アクチュエーターユニット１５０を搭載したことを特徴としている。
【０１０３】
［２０］実施形態に示された電子カメラは、前記［１１］ないし［１８］のいずれか一つに記載の光学ユニットを搭載したことを特徴としている。
【０１０４】
（変形例）
実施形態に示された光量調整用アクチュエーターユニット，光学ユニット、電子カメラは下記の変形例を含んでいる。
【０１０５】
・図１６に示すように、磁極部１７３ｅ，１７４ｅとして、ベースプレートＢＰに形成された一層目Ｌ１の積層コアＣ１の内側（図中左側）に、二層目Ｌ２〜五層目Ｌ５の積層コアＣ２〜Ｃ５を一体的に積層して結合したもの。
【０１０６】
・磁極部の一部を非積層コアで形成したもの。
【０１０７】
・磁極部以外の磁性部材の一部を積層コアで形成したもの
【０１０８】
【発明の効果】
本発明によれば、アクチュエーター類がコンパクトに形成され、しかも無駄な空間が生じ難い態様で配置されるため、小型化することが容易な、光量調整用アクチュエーターユニット、光学ユニット、及び電子カメラを提供できる。
【図面の簡単な説明】
【図１】本発明の第一実施形態に係る電子カメラの概略的構成を示す図で、（ａ）は略式上面断面図、（ｂ）は正面図、（ｃ）は略式側面断面図。
【図２】本発明の第二実施形態に係る電子カメラの概略的構成を示す図で、（ａ）は略式上面断面図、（ｂ）は正面図、（ｃ）は略式面断面図。
【図３】本発明の第一実施形態および第二実施形態に係る電子カメラにそれぞれ適用された光学ユニットの具体的な構成を示す図で、（ａ）は正面図、（ｂ）は蓋の部分を取外した状態の正面図。
【図４】前記光学ユニットの更に具体的な構成を示す図で、（ａ）は図３の（ａ）のａ−ａ線矢視断面図、（ｂ）は図３の（ａ）のｂ−ｂ線矢視断面図。
【図５】前記光学ユニットの光量調整ユニットにおける光量調整機構の構成を示す分解斜視図。
【図６】前記光学ユニットの光量調整ユニットにおける光量調整機構の組立上面図。
【図７】前記光量調整機構の動作説明図で、（ａ）及び（ｂ）は閉じた状態のシャッター機構と開いた状態の光量制限機構とを対応して示す図。
【図８】前記光量調整機構の動作説明図で、（ａ）及び（ｂ）は開いた状態のシャッター機構と開いた状態の光量制限機構とを対応して示す図。
【図９】前記光量調整機構の動作説明図で、（ａ）及び（ｂ）は閉じた状態のシャッター機構と閉じた状態の光量制限機構とを対応して示す図。
【図１０】前記光量調整機構の動作説明図で、（ａ）及び（ｂ）は開いた状態のシャッター機構と閉じた状態の光量制限機構とを対応して示す図。
【図１１】前記光学ユニットにおける光量調整機構アクチュエーターユニットの構成を示す図で、（ａ）は縦断面図、（ｂ）は外観を示す斜視図。
【図１２】前記光量調整用アクチュエーターユニットの構成を示す分解斜視図。
【図１３】前記光量調整用アクチュエーターユニットにおけるアクチュエーターケースの構成を示す図で、（ａ）は左端面図、（ｂ）は（ａ）のｂ−ｂ線矢視断面図、（ｃ）は右端面図。
【図１４】（ａ）は前記光量調整用アクチュエーターユニットにおける磁コイルユニットの断面図、（ｂ）は前記光量調整用アクチュエーターユニットにおける軸受部材の断面図。
【図１５】前記光量調整用アクチュエーターユニットにおける第一のステーターユニットにおける内側ステーター部材及び外側ステーター部材の構成を示す分解斜視図。
【図１６】前記光量調整用アクチュエーターユニットにおける第一のステーターユニットの内側ステーター部材及び外側ステーター部材の変形例を示す分解斜視図。
【符号の説明】
１０  カメラ本体
１４  光学ユニット
ＳＵ  光量調整ユニット
ＬＵ  レンズユニット
４０  レンズ駆動用アクチュエーターユニット
５０、６０  レンズ駆動用アクチュエーター
１００  光量調整機構
１１０  ベース
１１２  開口部
１２０  シャッター機構（遮光機構）
１２２  遮光部材
１４０  光量制限機構
１４２  光量制限部材
１５０  光量調整用アクチュエーターユニット
１６０  アクチュエーターケース
１７０  第一のアクチュエーター
１７０Ｒ  第一のロータユニット
１７０Ｓ  第一のステーターユニット
１７２  駆動用シャフト
１８０  第二のアクチュエーター
１８０Ｒ  第二のロータユニット
１８０Ｓ  第二のステーターユニット
１８２  駆動用シャフト
１９０  カバー
【図１】
2004317552.tif 000003
【図２】
2004317552.tif 000004
【図３】
2004317552.tif 000005
【図４】
2004317552.tif 000006
【図５】
2004317552.tif 000007
【図６】
2004317552.tif 000008
【図７】
2004317552.tif 000009
【図８】
2004317552.tif 000010
【図９】
2004317552.tif 000011
【図１０】
2004317552.tif 000012
【図１１】
2004317552.tif 000013
【図１２】
2004317552.tif 000014
【図１３】
2004317552.tif 000015
【図１４】
2004317552.tif 000016
【図１５】
2004317552.tif 000017
【図１６】
2004317552.tif 000018